(57)【特許請求の範囲】
【請求項１】
誘導結合通信のための方法であって、
第１のデバイスからの受信信号よりも強い、再送される変調信号を生成することと、
前記第１のデバイスへの再送のために、前記再送される変調信号から、抑制されたキャリアを有する信号を生成することと、
変調側波帯を減衰させるために、抑制されたキャリアを有する前記信号が前記受信信号に対して重畳された信号をフィルタリングすることと、
前記フィルタリングされた信号に基づいて、前記第１のデバイスに同期することと、
を備える、方法。
【請求項２】
前記再送される変調信号は、前記受信信号よりも大きい振幅を有する変調側波帯およびキャリアを備える、請求項１に記載の方法。
【請求項３】
抑制されたキャリアを有する前記信号を生成することは、前記再送される変調信号のキャリア振幅を、前記受信信号の振幅より低く減少させることを備える、請求項１に記載の方法。
【請求項４】
変調側波帯を減衰させるために、前記重畳された信号をフィルタリングすることは、前記重畳された信号の変調側波帯の振幅を、前記受信信号の振幅より低く減少させることを備える、請求項１に記載の方法。
【請求項５】
前記第１のデバイスに同期することは、前記フィルタリングされた信号を使用して前記受信信号からのクロックを回復させることを備える、請求項１に記載の方法。
【請求項６】
前記第１のデバイスに同期することはさらに、位相ロックループ（ＰＬＬ）回路構成を使用して、抑制されたキャリアを有する前記信号を前記受信信号に位相ロックすることを備える、請求項５に記載の方法。
【請求項７】
前記フィルタリングすることは、前記受信信号からの前記回復されたクロックを使用して、離散フィルタリングすることを備える、請求項５に記載の方法。
【請求項８】
前記誘導結合通信は、近接場通信（ＮＦＣ）である、請求項１に記載の方法。
【請求項９】
抑制されたキャリアを有する前記信号は、変調信号を再送するためのアクティブ負荷変調のために生成される、請求項１に記載の方法。
【請求項１０】
誘導結合通信のための回路構成であって、
第１のデバイスからの受信信号よりも強い、再送される変調信号を生成する再送信号ジェネレータと、
前記第１のデバイスへの再送のために、前記再送される変調信号から、抑制されたキャリアを有する信号を生成する抑制キャリア信号ジェネレータと、
変調側波帯を減衰させるために、抑制されたキャリアを有する前記信号が前記受信信号に対して重畳された信号をフィルタリングする変調側波帯フィルタと、
前記フィルタリングされた信号に基づいて、前記第１のデバイスに同期する同期ブロックと、
を備える、回路構成。
【請求項１１】
前記再送される変調信号は、前記受信信号よりも大きい振幅を有する変調側波帯およびキャリアを備える、請求項１０に記載の回路構成。
【請求項１２】
抑制されたキャリアを有する前記信号を生成することは、前記再送される変調信号のキャリア振幅を、前記受信信号の振幅より低く減少させることを備える、請求項１０に記載の回路構成。
【請求項１３】
変調側波帯を減衰させるために、前記重畳された信号をフィルタリングすることは、前記重畳された信号の変調側波帯の振幅を、前記受信信号の振幅より低く減少させることを備える、請求項１０に記載の回路構成。
【請求項１４】
誘導結合通信のための装置であって、
第１のデバイスからの受信信号よりも強い、再送される変調信号を生成するための手段と、
前記第１のデバイスへの再送のために、前記再送される変調信号から、抑制されたキャリアを有する信号を生成するための手段と、
変調側波帯を減衰させるために、抑制されたキャリアを有する前記信号が前記受信信号に対して重畳された信号をフィルタリングするための手段と、
前記フィルタリングされた信号に基づいて、前記第１のデバイスに同期するための手段と、
を備える、装置。
【請求項１５】
誘導結合通信のためのコンピュータに、請求項１乃至９のいずれかに記載の方法を実行させるプログラム。
【発明の詳細な説明】
【技術分野】
【０００１】
[0001]  本開示は、一般に電子デバイスに関する。より具体的には、本開示は、誘導結合通信（inductively coupled communications）のためのシステムおよび方法に関する。
【背景技術】
【０００２】
[0002]  電子デバイスの使用が一般的なものとなった。特に、電子技術の進歩は、益々複雑化し便利になった電子デバイスのコストを削減させた。コストの削減および消費者の需要は、電子デバイスの使用を、それらが事実上ユビキタスになるように急増させた。そして、電子デバイスの使用が拡大するにつれ、それらのための新しく、かつ改善された特徴についての需要も拡大した。より具体的には、新しい機能を実行する、および／または、より速く、より効率的に実行する、または、より高品質な電子デバイスには、しばしば大きな需要がある。
【０００３】
[0003]  いくつかの電子デバイス（例えば、スマートフォン）はワイヤレス信号を送信する。ワイヤレス信号は、例えば、他の電子デバイスと通信するために利用され得る。例えば、ワイヤレス信号は、音声情報またはデータを伝達し得る。いくつかのインプリメンテーションでは、ワイヤレス通信は、デバイス間の誘導結合を介したものであり得る。アンテナのサイズ、ならびに送信機および受信機のモビリティ（すなわち、相対運動）は、ワイヤレス信号に影響を与え得る。アンテナのサイズが減少すると、誘導結合係数もまた減少し得る。減少されたアンテナサイズを補うために、電子デバイスは、アクティブ負荷変調（active load modulation）を使用して通信し得る。アクティブ負荷変調の間に第２のデバイスを第１のデバイスに同期させるためのシステムおよび方法が有益であり得る。
【発明の概要】
【０００４】
[0004]  誘導結合通信のための方法が開示される。この方法は、第１のデバイスからの受信信号よりも強い、再送される変調信号（a retransmitted modulated signal）を生成することを含む。この方法はまた、第１のデバイスへの再送のために、再送される変調信号から、抑制されたキャリア信号（a suppressed carrier signal）を生成することを含む。この方法はさらに、変調側波帯（modulation sidebands）を減衰させるために、抑制されたキャリア信号の、受信信号に対して重畳された信号（a superimposed signal）をフィルタリングすることを含む。この方法はさらに、フィルタリングされた信号に基づいて、第１のデバイスに同期することを含む。
【０００５】
[0005]  再送される変調信号は、受信信号よりも大きい振幅を有する変調側波帯およびキャリアを含み得る。抑制されたキャリア信号を生成することは、再送される変調信号のキャリア振幅を、受信信号の振幅より低く減少させることを含み得る。変調側波帯を減衰させるために、重畳された信号をフィルタリングすることは、重畳された信号の変調側波帯の振幅を、受信信号の振幅より低く減少させることを含み得る。
【０００６】
[0006]  第１のデバイスに同期することは、フィルタリングされた信号を使用して受信信号からのクロックを回復させることを含み得る。第１のデバイスに同期することはさらに、位相ロックループ（ＰＬＬ）回路構成を使用して、抑制されたキャリア信号を受信信号に位相ロックすること（phase locking）を含み得る。フィルタリングすることは、受信信号からの回復されたクロックを使用して、離散フィルタリングすること（discrete filtering）を含み得る。
【０００７】
[0007]  誘導結合通信は、近接場通信（ＮＦＣ：near-field communications）であり得る。抑制されたキャリア信号が、変調信号を再送するためのアクティブ負荷変調のために生成され得る。
【０００８】
[0008]  誘導結合通信のための回路構成もまた説明される。この回路構成は、第１のデバイスからの受信信号よりも強い、再送される変調信号を生成する再送信号ジェネレータ（a retransmitted signal generator）を含む。この回路構成はまた、第１のデバイスへの再送のために、再送される変調信号から、抑制されたキャリア信号を生成する抑制キャリア信号ジェネレータを含む。この回路構成はさらに、変調側波帯を減衰させるために、抑制されたキャリア信号の、受信信号に対して重畳された信号をフィルタリングする変調側波帯フィルタを含む。この回路構成はさらに、フィルタリングされた信号に基づいて、第１のデバイスに同期する同期ブロックを含む。
【０００９】
[0009]  誘導結合通信のための装置もまた説明される。この装置は、第１のデバイスからの受信信号よりも強い、再送される変調信号を生成するための手段を含む。この装置はまた、第１のデバイスへの再送のために、再送される変調信号から、抑制されたキャリア信号を生成するための手段を含む。この装置はさらに、変調側波帯を減衰させるために、抑制されたキャリア信号の、受信信号に対して重畳された信号をフィルタリングするための手段を含む。この装置はさらに、フィルタリングされた信号に基づいて、第１のデバイスに同期するための手段を含む。
【００１０】
[0010]  誘導結合通信のためのコンピュータプログラム製品もまた説明される。このコンピュータプログラム製品は、命令を有する非一時的なコンピュータ読み取り可能な媒体を含む。これら命令は、装置に、第１のデバイスからの受信信号よりも強い、再送される変調信号を生成させるためのコードを含む。これら命令はまた、装置に、第１のデバイスへの再送のために、再送される変調信号から、抑制されたキャリア信号を生成させるためのコードを含む。これら命令はさらに、装置に、変調側波帯を減衰させるために、抑制されたキャリア信号の、受信信号に対して重畳された信号をフィルタリングさせるためのコードを含む。これら命令はさらに、装置に、フィルタリングされた信号に基づいて、第１のデバイスに同期させるためのコードを含む。
【図面の簡単な説明】
【００１１】
【図１】[0011]  図１は、誘導結合通信がインプリメントされ得る（implemented）ワイヤレス通信システムの１つの構成を例示するブロック図である。
【図２】[0012]  図２は、第１のデバイスと第２のデバイスとの間の誘導結合通信のための方法を例示するフローダイアグラムである。
【図３】[0013]  図３は、ワイヤレス通信システムにおける誘導結合通信の１つの構成を例示するブロック図である。
【図４】[0014]  図４は、誘導結合通信のための受信信号および再送される信号を例示する。
【図５】[0015]  図５は、誘導結合通信がインプリメントされ得る第２のデバイスの詳細な構成を例示するブロック図である。
【図６】[0016]  図６は、図５に関連して説明される第２のデバイスに関連する波形および周波数スペクトルを例示する。
【図７】[0017]  図７は、誘導結合通信がインプリメントされ得る第２のデバイスの別の詳細な構成を例示するブロック図である。
【図８Ａ】[0018]  図８Ａは、図７に関連して説明される第２のデバイスに関連する波形および周波数スペクトルを例示する。
【図８Ｂ】図８Ｂは、図７に関連して説明される第２のデバイスに関連する波形および周波数スペクトルを例示する。
【図９】[0019]  図９は、誘導結合通信がインプリメントされ得る第２のデバイスのさらに別の詳細な構成を例示するブロック図である。
【図１０】[0020]  図１０は、第２のデバイスによる誘導結合通信の様々なフェーズを例示する。
【図１１】[0021]  図１１は、電子デバイスにおいて利用され得る様々なコンポーネントを例示する。
【詳細な説明】
【００１２】
[0022]  ここに開示されるシステムおよび方法は、ワイヤレスに通信するおよび／またはワイヤードの接続またはリンクを使用して通信する通信デバイスに適用され得る。例えば、いくつかの通信デバイスは、イーサネット（登録商標）プロトコルを使用して他のデバイスと通信し得る。別の例では、いくつかの通信デバイスは、ワイヤレス通信を使用して他のデバイスと通信し得る。一構成では、ここに開示されたシステムおよび方法は、誘導ベースの通信技術を使用して別のデバイスと通信する通信デバイスに適用され得る。誘導結合通信技術の１つのインプリメンテーション（implementation）は、近接場通信（ＮＦＣ）である。
【００１３】
[0023]  ここに説明されるシステムおよび方法は、近接場通信（ＮＦＣ）ターゲット送信および受信に関する。具体的には、説明されるシステムおよび方法は、アクティブ負荷変調（ＡＬＭ：active load modulation）のエリア内で使用され得る。
【００１４】
[0024]  ＮＦＣ通信のための１つのアプローチにおいて、ＮＦＣ通信規格におけるデータフローの方向は、第１のデバイス（ポーラ（poller）、ポーリングデバイス、近接型結合装置（ＰＣＤ：proximity coupling device）またはイニシエータとも呼ばれる）に、電磁場を提供させることによって特徴付けられる。第２のデバイス（リスナ、リスニングデバイス、近接型ＩＣカード（ＰＩＣＣ：proximity integrated circuit card）またはターゲットとも呼ばれる）は、パッシブ負荷変調（a passive load modulation）を介して変調コンテンツを生成し得る。パッシブ負荷変調では、信号の変調は、第２のデバイス内の抵抗またはリアクタンス素子（resistive or reactive elements）をスイッチングすることによって達成され得る。
【００１５】
[0025]  電気的なデバイス、殊にモバイルアプリケーションにおけるトレンドは、より小さいアンテナサイズを取り入れる。しかしながら、より小さいアンテナは、誘導結合通信に関するより小さい結合係数（coupling factors）を示し得る（exhibit）。これは、第２のデバイスとのパッシブ負荷変調を使用して第１のデバイスにおいて負荷変調レベルについての仕様限界（specification limits）を達成することを難しくし得る。
【００１６】
[0026]  パッシブ負荷変調の欠陥を補うため、第２のデバイスは、アクティブ負荷変調（ＡＬＭ）を使用し得る。ＡＬＭの場合、代替の回路アプローチは、第２のデバイスを第１のデバイスからの信号に同期させることに基づく。第２のデバイスは、第１のデバイスから受信された信号を再生成し得る。第２のデバイスは次いで、位相同期された変調信号を第１のデバイスに再送し得る。ＡＬＭの場合、第１のデバイスにおいて受信される変調の結果的なレベルは、伝統的なパッシブ（例えば、抵抗（resistive））負荷変調によって生み出される変調レベルより高いものであることができる。
【００１７】
[0027]  ＡＬＭでは、第２のデバイス自身から生成される強い再送される信号が存在する状況においては、第２のデバイスによって第１のデバイスからの信号を再生成することに関して問題が生じ得る。例えば、第１のデバイスからの信号は、位相ロックループ（ＰＬＬ）回路を使用して第２のデバイスにおいて再生成され得る。再送される信号は、適切なＡＬＭ動作のためには第１のデバイスからの信号に位相ロックされる必要がある。しかしながら、再送される信号が第１のデバイスからの信号よりも強い場合、ＰＬＬは、第１のデバイスの信号にロックすることができない可能性がある。
【００１８】
[0028]  ＡＬＭに関連するこれらの問題を克服するための１つのアプローチでは、第２のデバイスは、より低い変調レベルで送信し得る。しかしながら、このアプローチは、効率性に劣るアクティブ負荷変調スキームという結果をもたらし得る。
【００１９】
[0029]  別のアプローチでは、デュアルアンテナが使用され得る。このアプローチでは、変調信号は、１つのアンテナ上で送信され、第１のデバイスから入ってくるキャリア（incoming carrier）（例えば、フィールドクロック）は、別個のアンテナ上で受信され得る。しかしながら、このアプローチは、複数のアンテナに起因する追加的なハードウェアオーバヘッドをもたらす。
【００２０】
[0030]  さらに別のアプローチでは、第１のデバイスから入ってくるキャリアがゲーティングされる。このアプローチでは、第２のデバイスは、時間領域において同期される。しかしながら、このアプローチは、１つまたは複数の時間領域ベースの制限を経験し得る。
【００２１】
[0031]  ここに説明されるシステムおよび方法は、誘導結合通信の間のアクティブ負荷変調のための第１のデバイスと第２のデバイスとの同期を提供し得る。具体的には、誘導結合通信のための、抑制されたキャリア信号からの位相ロックループ（ＰＬＬ）ベースのクロック生成が説明される。一構成では、誘導結合通信は、近接場通信（ＮＦＣ）であり得る。
【００２２】
[0032]  様々な構成がこれより図を参照して説明される。本明細書における、概して説明され図に例示されるシステムおよび方法は、多種多様な異なる構成で配列および設計されることができる。したがって、図に表されるような、いくつかの構成の以下のより詳細な説明は、特許請求される範囲を限定するようには意図されておらず、単にそれらシステムおよび方法を代表するものである。
【００２３】
[0033]  図１は、誘導結合通信がインプリメントされ得るワイヤレス通信システム１００の１つの構成を例示するブロック図である。システム１００は、第１のデバイス１０２および第２のデバイス１０４を含み得る。電子デバイスの例は、ワイヤレス通信デバイス、セルラフォン、スマートフォン、タブレットデバイス、ボイスレコーダ、デジタルカメラ、静止カメラ、カムコーダ、ゲーミングシステム、ラップトップコンピュータ等を含む。ここに説明される電子デバイス（例えば、第１のデバイス１０２および第２のデバイス１０４）の各コンポーネントは、ハードウェア（例えば、回路構成）で、またはハードウェアとソフトウェアとの組み合せ（例えば、メモリに記憶された実行可能な命令を有するプロセッサ）で、インプリメントされ得る。
【００２４】
[0034]  第１のデバイス１０２および第２のデバイス１０４は、誘導結合通信を使用して互いに通信し得る。一構成では、誘導結合通信は、近接場通信（ＮＦＣ）であり得る。誘導結合通信では、第１のデバイス１０２は、第２のデバイス１０４が結合され得る電磁場を生成し得る。例えば、ＮＦＣの場合、ＮＦＣ規格におけるデータフローの方向は、第１のデバイス１０２（ポーラ、ポーリングデバイス、近接型結合装置（ＰＣＤ）またはイニシエータとも呼ばれる）に、電磁場を提供させることによって特徴付けられる。
【００２５】
[0035]  第１のデバイス１０２は、信号１０６を第２のデバイス１０４に送り得る。信号１０６は、キャリア周波数を含み得る。ＮＦＣの場合、信号１０６は、１３．５６メガヘルツ（ＭＨｚ）のキャリア周波数を有し得る。信号１０６はまた、キャリアウェーブ（ＣＷ）とも称され得る。キャリア周波数はまた、フィールドクロックとも称され得る。
【００２６】
[0036]  第２のデバイス１０４（リスナ、リスニングデバイス、近接型ＩＣカード（ＰＩＣＣ）またはターゲットとも呼ばれる）は、変調コンテンツを生成することによって第１のデバイス１０２と通信し得る。一構成では、第２のデバイス１０４は、アクティブ負荷変調（ＡＬＭ）を使用して変調コンテンツを生成し得る。
【００２７】
[0037]  ＡＬＭへの１つのアプローチでは、第２のデバイス１０４は、第１のデバイス１０２からの信号１０６を再生成し得る。例えば、第２のデバイス１０４は、再生成された信号１１０を生み出す信号リジェネレータ１０８を含み得る。一構成では、信号リジェネレータ１０８は、位相ロックループ（ＰＬＬ）回路である。第２のデバイス１０４は、第１のデバイス１０２と通信するために、再生成された信号１１０を使用し得る。
【００２８】
[0038]  第２のデバイス１０４は、再送信号ジェネレータ１０９を含み得る。再送信号ジェネレータ１０９は、再送される変調信号１１３を生み出すために、再生成された信号１１０を変調し得る。１つのアプローチでは、再送される変調信号１１３は、第１のデバイス１０２に再送され返され得る。変調は、再生成された信号１１０のキャリアに関連する変調側波帯によって生み出され得る。再送される信号の変調は、データを第１のデバイス１０２に伝達し得る。
【００２９】
[0039]  第１のデバイス１０２と第２のデバイス１０４との間の強い結合係数を達成するために、再送される変調信号１１３は、第１のデバイス１０２から受信された信号１０６よりも強い可能性がある。ＡＬＭへの１つのアプローチでは、再送される変調信号１１３のキャリアおよび変調側波帯は、受信信号１０６よりも大きい振幅（例えば、電力）を有し得る。しかしながら、ＡＬＭでは、強い再送される信号が存在する状況においては、第２のデバイス１０４によって第１のデバイス１０２からの信号１０６を再生成することに関して問題が生じ得る。第２のデバイス１０４からの再送される変調信号１１３のより強いキャリアは、図６に関連して説明される重畳されたスペクトルに例示されるように、受信信号１０６のキャリアを不明瞭にし得る。この場合、第２のデバイス１０４のＰＬＬは、受信信号１０６の位相にロックすることができない可能性がある。
【００３０】
[0040]  第１のデバイス１０２と同期することを容易にするために、第２のデバイス１０４は、抑制されたキャリア信号１１４を生成し、変調側波帯をフィルタリングし得る。抑制キャリア信号ジェネレータ１１２は、第１のデバイス１０２への再送のために、再送される変調信号１１３から、抑制されたキャリア信号１１４を生成し得る。例えば、抑制キャリア信号ジェネレータ１１２は、再送される変調信号１１３のキャリア振幅を、受信信号１０６の振幅より低く減少させ得る。一構成では、再送される変調信号１１３のキャリアの最大絶対値は、受信信号１０６のキャリアの最大絶対値より小さく減少され得る。キャリア抑制は、抑制されたキャリア信号１１４のスペクトル特性を有する信号を生成することによって、時間領域で実行され得るか、または周波数領域で実行され得る。
【００３１】
[0041]  抑制されたキャリア信号１１４を生成する際、抑制されたキャリア信号１１４は、受信信号１０６よりも強い変調側波帯を有し得るが、抑制されたキャリア信号１１４のキャリアは、受信信号１０６よりもキャリアよりもより弱い可能性がある。言い換えれば、抑制されたキャリア信号１１４のキャリア振幅は、受信信号１０６のキャリア振幅より小さい可能性がある。抑制されたキャリア信号１１４は、第１のデバイス１０２に送信され得る。
【００３２】
[0042]  抑制されたキャリア信号１１４は、第１のデバイス１０２からの受信信号１０６に重畳され得る。一構成では、第２のデバイス１０４は、第１のデバイス１０２からの信号１０６を受信するおよび抑制されたキャリア信号１１４を送信するために、単一のアンテナを有し得る。この構成では、抑制されたキャリア信号１１４は、アンテナにおいて受信信号１０６と組み合わせられ（例えば、重畳され）得る。
【００３３】
[0043]  変調側波帯フィルタ１１８は、重畳された信号１１６を受信し、フィルタリングされた信号１２０を生み出し得る。変調側波帯フィルタ１１８は、重畳された信号１１６の変調側波帯の振幅を、受信信号１０６の振幅より低く減少させ得る。一構成では、変調側波帯の最大絶対値は、受信信号１０６のキャリアの最大絶対値より小さい。フィルタリングされた信号１２０は、抑制されたキャリア信号１１４の抑制された変調側波帯およびキャリアと受信信号１０６の組み合せであり得る。一構成では、変調側波帯フィルタリングは、周波数領域で実行され得る。
【００３４】
[0044]  同期ブロック１２２は、フィルタリングされた信号１２０に基づいて、第２のデバイス１０４を第１のデバイス１０２に同期させ得る。同期ブロック１２２は、フィルタリングされた信号１２０を使用して受信信号１０６からのクロック１２４を回復させ得る。回復されたクロック１２４は、受信信号１０６のキャリア周波数（例えば、フィールドクロック）であり得る。一構成では、同期ブロック１２２は、ＰＬＬ回路構成を含み得る。１つの構成では、同期ブロック１２２のＰＬＬ回路構成は、信号リジェネレータ１０８のＰＬＬ回路構成と同じであり得る。別の構成では、同期ブロック１２２のＰＬＬ回路構成は、信号リジェネレータ１０８のＰＬＬ回路構成とは異なり得る。
【００３５】
[0045]  再送される信号（すなわち、抑制されたキャリア信号１１４）の変調側波帯およびキャリアは、受信信号１０６より小さいので、同期ブロック１２２は、第１のデバイス１０２の信号１０６にロックし（lock）得る。同期ブロック１２２において受信されるフィルタリングされた信号のスペクトルの例は、図８に関連して説明される。
【００３６】
[0046]  回復されたクロック１２４を使用して、抑制されたキャリア信号１１４の位相は、第１のデバイス１０２からの信号１０６と同期され得る。第１のデバイス１０２における変調の結果的なレベルは、伝統的なパッシブ（例えば、抵抗）負荷変調で達成されることができるものよりも高い可能性がある。さらに、追加的なハードウェアオーバヘッドは、１つのアンテナを、誘導結合通信信号を送信することおよび受信することの両方のために使用することによって、避けられる。加えて、説明されるシステムおよび方法はＡＬＭ同期への周波数領域アプローチを使用するので、時間領域アプローチに関連する問題は避けられる。
【００３７】
[0047]  図２は、第１のデバイス１０２と第２のデバイス１０４との間の誘導結合通信のための方法２００を例示するフローダイアグラムである。方法２００は、第２のデバイス１０４によってインプリメントされ得る。近接場通信（ＮＦＣ）の場合、第２のデバイス１０４は、第１のデバイス１０２（ポーリングデバイスまたはイニシエータとも呼ばれる）から信号１０６を受信し得るリスニングデバイス（ターゲットとも呼ばれる）であり得る。方法２００は、第１のデバイス１０２と第２のデバイス１０４との間のアクティブ負荷変調（ＡＬＭ）の一部としてインプリメントされ得る。
【００３８】
[0048]  第１のデバイス１０２は、信号１０６を第２のデバイス１０４に送り得る。信号１０６は、キャリア周波数を含み得る。ＮＦＣの場合、信号１０６は、１３．５６ＭＨｚのキャリア周波数を有し得る。
【００３９】
[0049]  第２のデバイス１０４は、第１のデバイス１０２からの受信信号１０６よりも強い、再送される変調信号１１３を生成し得る２０２。例えば、第２のデバイス１０４は、再生成された信号１１０を生み出す位相ロックループ（ＰＬＬ）回路を含み得る。第２のデバイス１０４は、再生成された信号１１０を変調し得る。第１のデバイス１０２と第２のデバイス１０４との間の強い結合係数を達成するために、再送される変調信号１１３は、第１のデバイス１０２から受信された信号１０６よりも強い可能性がある。ＡＬＭへの１つのアプローチでは、再送される変調信号１１３のキャリアおよび変調側波帯は、受信信号１０６よりも大きい振幅（例えば、電力）を有し得る。
【００４０】
[0050]  第２のデバイス１０４は、第１のデバイス１０２への再送のために、再送される変調信号１１３から、抑制されたキャリア信号１１４を生成し得る２０４。例えば、第２のデバイス１０４は、再送される変調信号１１３のキャリア振幅を、受信信号１０６の振幅より低く減少させ得る。抑制されたキャリア信号１１４は、第１のデバイス１０２に送信され得る。
【００４１】
[0051]  第２のデバイス１０４は、変調側波帯を減衰させるために、抑制されたキャリア信号１１４の、受信信号１０６に対して重畳された信号１１６をフィルタリングし得る２０６。一構成では、第２のデバイス１０４は、第１のデバイス１０２からの信号１０６を受信するおよび抑制されたキャリア信号１１４を送信するために、単一のアンテナを有し得る。この構成では、抑制されたキャリア信号１１４は、アンテナにおいて受信信号１０６と組み合わせられ（例えば、重畳され）得る。第２のデバイス１０４は、重畳された信号１１６の変調側波帯の振幅を、受信信号１０６の振幅より低く減少させ得る。故に、フィルタリングされた信号１２０は、抑制されたキャリア信号１１４の抑制された変調側波帯およびキャリアと受信信号１０６の組み合せであり得る。
【００４２】
[0052]  第２のデバイス１０４は、フィルタリングされた信号１２０に基づいて、第１のデバイス１０２に同期し得る２０８。第２のデバイス１０４は、フィルタリングされた信号１２０を使用して受信信号１０６からのクロック１２４を回復させ得る。回復されたクロック１２４は、受信信号１０６のキャリア周波数（例えば、フィールドクロック）であり得る。一構成では、第２のデバイス１０４は、第２のデバイス１０４を第１のデバイス１０２に同期させるためにＰＬＬ回路構成を使用し得る。再送される信号（すなわち、抑制されたキャリア信号１１４）の変調側波帯およびキャリアは、受信信号１０６より小さいので、ＰＬＬ回路構成は、第１のデバイス１０２の信号１０６にロックし得る。回復されたクロック１２４を使用して、抑制されたキャリア信号１１４の位相は、第１のデバイス１０２から受信された信号１０６と同期され得る。
【００４３】
[0053]  図３は、ワイヤレス通信システム３００における誘導結合通信の１つの構成を例示するブロック図である。ポーリングデバイス３０２およびリスニングデバイス３０４は、近接場通信（ＮＦＣ）プロトコルにしたがって動作し得る。ポーリングデバイス３０２は、図１に関連して説明された第１のデバイス１０２にしたがってインプリメントされ得る。リスニングデバイス３０４は、図１に関連して説明された第２のデバイス１０４にしたがってインプリメントされ得る。各デバイス３０２、３０４は、電子回路３２６ａ−ｂに接続されたアンテナ３２８ａ−ｂを含み得る。動作の間、２つのＮＦＣデバイス（すなわち、ポーリングデバイス３０２およびリスニングデバイス３０４）の組み合せは、変圧器のように機能（behave）し得る。
【００４４】
[0054]  ＮＦＣは、誘導結合通信技術である。２つのＮＦＣ利用可能デバイス３０２、３０４は、ある間隔だけ隔てられ得る。交流電流が、プライマリコイル（すなわち、ポーリングデバイスアンテナ３２８ａ）を通過し、電磁場３３０（それはまた、無線周波数（ＲＦ）場または放射場とも称され得る）を作り出し得る。電磁場３３０は、セカンダリコイル（すなわち、リスニングデバイスアンテナ３２８ｂ）において電流を誘導し得る。リスニングデバイス３０４は、それ自身に電力供給するために、ポーリングデバイス３０２によってトランスミットされた（transmitted）電磁場３３０を使用し得る。
【００４５】
[0055]  両方のアンテナ３２８ａ−ｂの構成およびチューニングは、一方のデバイスから他方のデバイスへの結合効率を決定し得る。ポーリングデバイス３０２およびリスニングデバイス３０４は、図３に示される。ある特定のＮＦＣ取引（NFC transactions）の間に、リスニングデバイス３０４は、ターゲットとして機能し得、それはＮＦＣ規格に定義された役割である。
【００４６】
[0056]  一構成では、一方のデバイスのＮＦＣ送信機および他方のデバイスのＮＦＣ受信機は、相互共振関係にしたがって構成される。ＮＦＣ受信機の共振周波数とＮＦＣ送信機の共振周波数とが非常に近いときは、ＮＦＣ送信機とＮＦＣ受信機との間の送信損失は、ＮＦＣ受信機が放射場の「近接場（near-field）」に位置するとき、最小である。
【００４７】
[0057]  ＮＦＣデバイスは、ＮＦＣループアンテナ３２８を含み得る。ＮＦＣループアンテナ３２８は、エネルギの伝送および受け取りのための手段を提供し得る。上述の通り、効率的なエネルギの転送は、電磁波におけるエネルギの大部分を遠隔場（far field）に伝播するのではなく、送信アンテナ３２８の近接場においてエネルギの大半を受信アンテナ３２８に結合することによって生じ得る。この近接場にあるとき、結合モードが、ＮＦＣループアンテナ３２８間で展開され得る。この近接場結合が発生し得るＮＦＣループアンテナ３２８の周りのエリアは、ここで結合モード領域（a coupling-mode region）と称される。
【００４８】
[0058]  ＮＦＣ利用可能デバイスは、通信が確立されることを可能にするために十分なデータ３３２を取得し得る。確立され得る通信の１つの形態は、ＩＳＯ−ＤＥＰ（international standards organization data exchange protocol）通信リンクである。ＮＦＣデバイス間の通信は、ＮＦＣ−Ａ、ＮＦＣ−Ｂ等に限定されるわけではないが、それらを含む多様なＮＦＣ無線周波数（ＲＦ）技術によって可能にされ得る（enabled）。
【００４９】
[0059]  図４は、誘導結合通信のための受信信号４０６および再送される変調信号４１３を例示する。受信信号４０６は、第１のデバイス１０２によって生成され得る。再送される変調信号４１３は、第２のデバイス１０４によって生成され得る。
【００５０】
[0060]  一構成では、第２のデバイス１０４は、アクティブ負荷変調（ＡＬＭ）のための再送される変調信号４１３を生成し得る。第２のデバイス１０４は、変調信号を再送することによって情報を第１のデバイス１０２に通信し得る。再送される変調信号４１３は、異なる変調レベルを有し得る。１つのケースでは、再送される変調信号４１３は、高い変調レベル４２７を有し得る。高い変調レベル４２７の場合、再送される変調信号４１３の振幅は、受信信号４０６の振幅よりも大きい可能性がある。高い変調レベル４２７の場合、再送される変調信号４１３は、受信信号４０６よりも強いことに留意されたい。
【００５１】
[0061]  別のケースでは、再送される変調信号４１３は、低い変調レベル４２９を有し得る。低い変調レベル４２９の場合、再送される変調信号４１３の振幅は、受信信号４０６の振幅より小さい可能性がある。
【００５２】
[0062]  図５は、誘導結合通信がインプリメントされ得る第２のデバイス５０４の詳細な構成を例示するブロック図である。第２のデバイス５０４は、誘導結合通信を使用して第１のデバイス１０２（示されていない）と通信し得る。一構成では、誘導結合通信は、近接場通信（ＮＦＣ）であり得る。
【００５３】
[0063]  第１のデバイス１０２は、信号５０６を第２のデバイス５０４に送り得る。ＮＦＣの場合、信号５０６は、１３．５６ＭＨｚのキャリア周波数を有し得る。第１のデバイス１０２からの信号５０６の波形の１つの例は、図６に例示される。
【００５４】
[0064]  第２のデバイス５０４は、アンテナ５２８を介して信号５０６を受信し得る。ＮＦＣの場合、アンテナ５２８は、１つまたは複数のコイルを含み得るループアンテナ（ループインダクタアンテナとも呼ばれる）であり得る。アンテナ５２８は、第１のデバイス１０２によって生成される磁場に結合され得る。信号５０６は、誘導結合通信の動作周波数で電流を励起（excite）し得る。さらに、アンテナ５２８は、磁場を生成し得る。
【００５５】
[0065]  第２のデバイス５０４は、アンテナ５２８に結合された整合ネットワーク５３８を含み得る。整合ネットワーク５３８は、送信（Ｔｘ）ブロック５３６とアンテナ５２８との間のインピーダンス整合を実行し得る。
【００５６】
[0066]  Ｔｘブロック５３６は、ＡＬＭの間に第１のデバイス１０２に送信するための再送される変調信号５１３を生成し得る。一構成では、ＰＬＬブロック５３４は、第１のデバイス１０２からの信号５０６を再生成し得る。例えば、ＰＬＬブロック５３４は、受信信号５０６のキャリアウェーブフィールドクロックを再生成し得る。ＰＬＬブロック５３４は、再生成された信号５１０をＴｘブロック５３６に提供し得る。
【００５７】
[0067]  Ｔｘブロック５３６は、再送される変調信号５１３を生み出すために、再生成された信号５１０を変調し得る。再送される変調信号５１３が整合ネットワーク５３８を通過した後、再送される変調信号５１３は、第１のデバイス１０２への送信のために、アンテナ５２８に提供され得る。
【００５８】
[0068]  Ｔｘブロック５３６の出力における再送される変調信号５１３の波形およびスペクトルは、図６に例示される。再送される変調信号５１３のキャリア信号は、第１のデバイス１０２からの受信信号５０６よりも強い可能性があることに留意されたい。
【００５９】
[0069]  アクティブ負荷変調（ＡＬＭ）が正確に動作するために、再送される変調信号５１３は、第１のデバイス１０２からの受信信号５０６に位相ロックされ得る。位相ロックループ（ＰＬＬ）ブロック５３４は、第２のデバイス５０４を第１のデバイス１０２に同期させ得る。
【００６０】
[0070]  第２のデバイス５０４は同じアンテナ５２８上で送信および受信するので、受信信号５０６と再送される変調信号５１３は、重畳され得る。重畳された信号５１６は、再送される変調信号５１３が受信信号５０６に重畳されるとき、形成される。アンテナ５２８における重畳された信号５１６の波形および周波数スペクトルは、図６に例示される。
【００６１】
[0071]  再送される変調信号５１３が受信信号５０６よりも強い場合、ＰＬＬブロック５３４は受信信号にロックすることができない可能性がある。第２のデバイス５０４からの再送される変調信号５１３のより強いキャリアは、受信信号５０６のキャリアを不明瞭にし得、第２のデバイス５０４は、第１のデバイス１０２と同期することができない可能性がある。
【００６２】
[0072]  図６は、図５に関連して説明された第２のデバイス５０４に関連する波形および周波数スペクトルを例示する。図６に表された波形は、時間に対して示される（plotted）信号の振幅（a signal plotted versus time）として提示される。図６に表された周波数スペクトルは、周波数に対する信号の振幅として提示される。
【００６３】
[0073]  第１のデバイス１０２からの信号５０６の波形６４０は、第２のデバイス５０４のアンテナ５２８において受信される第１のデバイス１０２からの信号５０６に対応する。第１のデバイス１０２からの信号５０６のスペクトル６４５は、受信信号５０６の振幅を示す。近接場通信（ＮＦＣ）の場合、波形６４０は、１３．５６ＭＨｚの周波数を有し得る。信号５０６の周波数は、ＮＦＣ仕様にしたがって、プラスまたはマイナス７キロヘルツ（ｋＨｚ）だけ変わり得る。
【００６４】
[0074]  再送される変調信号５１３の波形６４２は、第２のデバイス５０４によって生み出され得る変調の例を示す。再送される変調信号５１３のスペクトル６４６に見られるように、再送される変調信号５１３は、キャリア信号および変調側波帯を含み得る。
【００６５】
[0075]  重畳された信号５１６の波形６４４は、アンテナ５２８において再送される変調信号５１３と組み合わせられた受信信号５０６の例を示す。重畳された信号５１６のスペクトル６４８に表されるように、重畳された信号５１６は、送信機（Ｔｘ）生成信号（すなわち、再送される変調信号５１３のキャリア信号および変調側波帯）および第１のデバイス１０２からの信号５０６を含む。再送される変調信号５１３のキャリアおよび変調側波帯は、受信信号５０６よりも大きい振幅を有することに留意されたい。
【００６６】
[0076]  図７は、誘導結合通信がインプリメントされ得る第２のデバイス７０４の別の詳細な構成を例示するブロック図である。第２のデバイス７０４は、図１に関連して説明された第２のデバイス１０４にしたがってインプリメントされ得る。第２のデバイス７０４は、誘導結合通信を使用して第１のデバイス１０２（示されていない）と通信し得る。一構成では、誘導結合通信は、近接場通信（ＮＦＣ）であり得る。
【００６７】
[0077]  第２のデバイス７０４は、第１のデバイス１０２から信号７０６を受信し得る。ＮＦＣの場合、信号７０６は、１３．５６メガヘルツ（ＭＨｚ）のキャリア周波数を有し得る。第１のデバイス１０２からの信号７０６の波形の１つの例は、図８に例示される。
【００６８】
[0078]  第２のデバイス７０４は、アンテナ７２８を介して信号７０６を受信し得る。上述したように、アンテナ７２８は、１つまたは複数のコイルを含み得るループアンテナ（ループインダクタアンテナとも呼ばれる）であり得る。アンテナ７２８は、第１のデバイス１０２によって生成される磁場に結合され得る。信号７０６は、誘導結合通信の動作周波数において電流を励起し得る。さらに、アンテナ７２８は、磁場を生成し得る。
【００６９】
[0079]  第２のデバイス７０４は、アンテナ７２８に結合された整合ネットワーク７３８を含み得る。整合ネットワーク７３８は、送信（Ｔｘ）ブロック７３６とアンテナ７２８との間のインピーダンス整合を実行し得る。
【００７０】
[0080]  アクティブ負荷変調（ＡＬＭ）への１つのアプローチでは、ＰＬＬブロック７３４は、第１のデバイス１０２からの信号７０６を再生成し得る。第２のデバイス７０４は、第１のデバイス１０２と通信するために、再生成された信号７１０を使用し得る。例えば、ＰＬＬブロック７３４は、受信信号７０６のキャリアウェーブフィールドクロックを再生成し得る。ＰＬＬは、再生成された信号７１０をＴｘブロック７３６に提供し得る。
【００７１】
[0081]  Ｔｘブロック７３６は、第１のデバイス１０２へ再送し返すために、再生成された信号７１０を変調および増幅し得る。例えば、Ｔｘブロック７３６は、再送される変調信号７１３を生成し得る。変調は、再生成された信号７１０のキャリアに関連する変調側波帯によって生み出され得る。第１のデバイス１０２と第２のデバイス７０４との間の強い結合係数を達成するために、再送される変調信号７１３は、第１のデバイス１０２から受信された信号７０６よりも強い可能性がある。ＡＬＭへの１つのアプローチでは、再送される変調信号のキャリアおよび変調側波帯は、受信信号７０６よりも大きい振幅（例えば、電力）を有し得る。
【００７２】
[0082]  Ｔｘブロック７３６は、再送される変調信号７１３のキャリアを抑制するためのキャリア抑制器７１２を含み得る。キャリア抑制器７１２は、第１のデバイス１０２への再送のために、再送される変調信号７１３から、抑制されたキャリア信号７１４を生成し得る。例えば、キャリア抑制器７１２は、再送される変調信号７１３のキャリア振幅を受信信号１０６のキャリア振幅より低く減少させ得る。
【００７３】
[0083]  Ｔｘブロック７３６の出力における抑制されたキャリア信号７１４の波形およびスペクトルは、図８に例示される。抑制されたキャリア信号７１４のキャリア振幅は、第１のデバイス１０２からの受信信号７０６のキャリア振幅より小さい可能性があることに留意されたい。しかしながら、抑制されたキャリア信号７１４に関する変調側波帯の振幅は、受信信号７０６のキャリア振幅よりも大きい可能性がある。
【００７４】
[0084]  抑制されたキャリア信号７１４が整合ネットワーク７３８を通過した後、抑制されたキャリア信号７１４は、第１のデバイス１０２への送信のために、アンテナ７２８に提供され得る。抑制されたキャリア信号７１４は、第１のデバイス１０２からの受信信号７０６に重畳され得る。一構成では、第２のデバイス７０４は、第１のデバイス１０２からの信号７０６を受信するおよび抑制されたキャリア信号７１４を送信するために、単一のアンテナ７２８を有し得る。この構成では、抑制されたキャリア信号７１４は、アンテナ７２８において受信信号７０６と組み合わせられ（例えば、重畳され）得る。アンテナ７２８における重畳された信号７１６の波形およびスペクトルは、図８に例示される。
【００７５】
[0085]  変調側波帯フィルタ７１８は、重畳された信号７１６を受信し、フィルタリングされた信号７２０を生み出し得る。変調側波帯フィルタ７１８は、重畳された信号７１６の変調側波帯の振幅を、受信信号７０６の振幅より低く減少させ得る。故に、フィルタリングされた信号７２０は、抑制されたキャリア信号７１４の抑制された変調側波帯およびキャリアと受信信号７０６の組み合せであり得る。アンテナ７２８におけるフィルタリングされた信号７２０の波形およびスペクトルは、図８に例示される。
【００７６】
[0086]  ＰＬＬブロック７３４は、フィルタリングされた信号７２０に基づいて、第２のデバイス７０４を第１のデバイス１０２に同期させ得る。ＰＬＬブロック７３４は、フィルタリングされた信号７２０を使用して受信信号７０６からのクロック７２４を回復させ得る。回復されたクロック７２４は、受信信号７０６のキャリア周波数（例えば、フィールドクロック）であり得る。再送される信号（すなわち、抑制されたキャリア信号７１４）の変調側波帯およびキャリアは、受信信号７０６より小さいので、ＰＬＬブロック７３４は、第１のデバイス１０２の信号７０６にロックし得る。
【００７７】
[0087]  回復されたクロック７２４を使用して、抑制されたキャリア信号７１４の位相は、第１のデバイス１０２からの信号７０６と同期され得る。故に、再生成された信号７１０は、受信信号７０６と位相において同期され得る。第１のデバイス１０２における変調の結果的なレベルは、伝統的なパッシブ（例えば、抵抗）負荷変調で達成されることができるものよりも高い可能性がある。
【００７８】
[0088]  図８Ａおよび図８Ｂは、図７に関連して説明された第２のデバイス７０４に関連する波形および周波数スペクトルを例示する。図８Ａおよび図８Ｂに表された波形は、時間に対して示される信号の振幅として提示される。図８Ａおよび図８Ｂに表された周波数スペクトルは、周波数に対する信号の振幅として提示される。
【００７９】
[0089]  図８Ａにおいて、第１のデバイス１０２からの信号７０６の波形８４０は、第２のデバイス７０４のアンテナ７２８において受信される第１のデバイス１０２からの信号７０６に対応する。第１のデバイス１０２からの信号７０６のスペクトル８４５は、受信信号７０６の振幅を示す。近接場通信（ＮＦＣ）の場合、波形８４０は、ＮＦＣ仕様にしたがって、１３．５６ＭＨｚ（プラスまたはマイナス７キロヘルツ（ｋＨｚ））の周波数を有し得る。
【００８０】
[0090]  抑制されたキャリア信号７１４の波形８４２は、第２のデバイス７０４によって生み出され得る再送される変調信号７１３の変調および増幅の例を示す。抑制されたキャリア信号７１４のスペクトル８４６に見られるように、抑制されたキャリア信号７１４は、キャリア信号および変調側波帯を含み得る。しかしながら、図６に関連して説明された再送される変調信号５１３のスペクトル６４６に比べて、抑制されたキャリア信号７１４のキャリア信号は減少されている。
【００８１】
[0091]  重畳された信号７１６の波形８４４は、アンテナ７２８において抑制されたキャリア信号７１４と組み合わせられた受信信号７０６の例を示す。重畳された信号７１６のスペクトル８４８に表されるように、重畳された信号７１６は、送信機（Ｔｘ）生成信号（すなわち、抑制されたキャリア信号７１４のキャリア信号および変調側波帯）および第１のデバイス１０２からの信号７０６を含む。抑制されたキャリア信号７１４の変調側波帯は、受信信号７０６よりも大きい振幅を有し得ることに留意されたい。しかしながら、抑制されたキャリア信号７１４のキャリアは、受信信号７０６のキャリアより小さい。
【００８２】
[0092]  図８Ｂにおいて、フィルタリングされた信号７２０の波形８４９およびスペクトル８５０は、変調側波帯フィルタ７１８によって生み出される変調側波帯減衰の例を示す。変調側波帯の振幅は、受信信号７０６のキャリアの振幅より低く減少される。故に、ＰＬＬブロック７３４によって受信される信号（すなわち、フィルタリングされた信号７２０）において、受信信号７０６からのキャリアは、第２のデバイス７０４自身によって生み出されるキャリアおよび変調側波帯よりも大きい。ＰＬＬブロック７３４は、フィルタリングされた信号７２０を使用して受信信号７０６にロックし得る。
【００８３】
[0093]  図９は、誘導結合通信がインプリメントされ得る第２のデバイス９０４のさらに別の詳細な構成を例示するブロック図である。第２のデバイス９０４は、図１に関連して説明された第２のデバイス１０４にしたがってインプリメントされ得る。第２のデバイス９０４は、誘導結合通信を使用して第１のデバイス１０２（示されていない）と通信し得る。一構成では、誘導結合通信は、近接場通信（ＮＦＣ）であり得る。ＮＦＣの場合、第１のデバイス１０２は、ポーリングデバイスと称され得、第２のデバイス９０４は、リスニングデバイスと称され得る。
【００８４】
[0094]  第２のデバイス９０４は、第１のデバイス１０２から信号９０６を受信し得る。ＮＦＣの場合、信号９０６は、１３．５６ＭＨｚのキャリア周波数を有し得る。受信信号９０６はまた、キャリアウェーブ（ＣＷ）とも称され得る。
【００８５】
[0095]  第２のデバイス９０４は、アンテナ９２８を介して信号９０６を受信し得る。上述したように、アンテナ９２８は、１つまたは複数のコイルを含み得るループアンテナ（ループインダクタアンテナとも呼ばれる）であり得る。アンテナ９２８は、第１のデバイス１０２によって生成される磁場に結合され得る。信号９０６は、誘導結合通信の動作周波数において電流を励起し得る。さらに、アンテナ９２８は、磁場を生成し得る。
【００８６】
[0096]  第２のデバイス９０４は、アンテナ９２８に結合された整合ネットワーク９３８を含み得る。整合ネットワーク９３８は、送信（Ｔｘ）ブロック９３６とアンテナ９２８との間のインピーダンス整合を実行し得る。一構成では、整合ネットワークは、アンテナ９２８の第１のノードと第２のノードとの間で結合される抵抗９８６を含み得る。アンテナ９２８の第１のノードおよび第２のノードは、ループアンテナ９２８の入力に対応し得る。第１のキャパシタ９８８ａはアンテナ９２８の第１のノードに結合され得、第２のキャパシタ９８８ｂは、アンテナ９２８の第２のノードに結合され得る。第１のキャパシタ９８８ａはまた、第１のインダクタ９９０ａに結合され得、第２のキャパシタ９８８ｂは、第２のインダクタ９９０ｂに結合され得る。第３のキャパシタ９８８ｃは、第１のインダクタ９９０ａと第２のインダクタ９９０ｂとの間に結合され得る。
【００８７】
[0097]  第２のデバイス９０４は、位相ロックループ（ＰＬＬ）を形成する回路構成を含み得る。位相検出器（ＰＤ：phase detector）９６２は、フィールドクロック９５４およびフィードバック信号９６９を受信し得る。フィールドクロック９５４は、ＰＬＬのための基準信号として機能し得る。ＰＤ９６２は、エラー信号９６３を生み出すために、フィールドクロック９５４とフィードバック信号９６９とを比較し得る。
【００８８】
[0098]  チャージポンプ／ループフィルタ（ＣＰ／ＬＦ：charge pump/loop filter）９６４は、位相検出器（ＰＤ）９６２に結合され得る。ＣＰ／ＬＦ９６４は、エラー信号９６３を受信し得る。ＣＰ／ＬＦ９６４は、ローパスフィルタリングされた信号（a low pass-filtered signal）９６５を生み出すために、ローパスフィルタをエラー信号９６３に適用し得る。
【００８９】
[0099]  電圧制御発振器（ＶＣＯ）９６６は、ＣＰ／ＬＦ９６４に結合され得る。ＶＣＯ９６６は、１つまたは複数の出力信号を生成するためにローパスフィルタリングされた信号９６５によって駆動され得る。ＶＣＯ９６６は、キャリア周波数の整数倍の周波数で動作し得る。ＮＦＣの場合、キャリア周波数は１３．５６ＭＨｚであり、ＶＣＯ９６６は４３３．９２ＭＨｚで動作し得、それはキャリア周波数の３２倍である。ＶＣＯ９６６は、システムクロック９７０、ローカル発振器（ＬＯ）信号９７２および送信（Ｔｘ）クロック９２４を生成し得る。Ｔｘクロック９２４は、送信（Ｔｘ）波形ジェネレータ９７６に提供され得る。ＬＯ信号９７２は、ローカル発振器に提供され得る。システムクロック９７０は、デジタルブロックを含む他のブロックに提供され得る。
【００９０】
[00100]  ＶＣＯ９６６は、フィードバックディバイダ（divider）９６８に結合され得る。ＶＣＯ９６６の出力は、フィードバック信号９６９を生み出すために、フィードバックディバイダ９６８に提供され、値１／Ｎで分割され得る。位相検出器（ＰＤ）９６２、チャージポンプ／ループフィルタ（ＣＰ／ＬＦ）９６４、ＬＣ  ＶＣＯ９６６およびフィードバックディバイダ９６８は、位相ロックループ（ＰＬＬ）を形成し得ることに留意されたい。
【００９１】
[00101]  Ｔｘクロック９２４は、受信信号９０６を再生成するために使用され得る。Ｔｘ波形ジェネレータ９７６は、パルス幅変調（ＰＷＭ）およびパルス整形（pulse shaping）を、ＰＷＭ信号９７８を生み出すために、Ｔｘクロック９２４および入力データ９７４を使用して、実行し得る。ＰＷＭ信号９７８を生成すると同時に、Ｔｘ波形ジェネレータ９７６は、ＰＷＭ信号９７８のキャリアを抑制し得る。例えば、Ｔｘ波形ジェネレータ９７６は、ＰＷＭ信号９７８のキャリア振幅を、受信信号９０６のキャリア振幅より低く減少させ得る。
【００９２】
[00102]  ＰＷＭ信号９７８は、第１のデバイス１０２に送信される抑制されたキャリア信号９１４を生み出すために、増幅器９８０において増幅され得る。一構成では、増幅器９８０は、クラスＤの電力増幅器（a class-D power amplifier）である。増幅器９８０は、送信をイネーブルまたはディセーブルし得るＴｘイネーブル信号（Tx enabled signal）９８２を受信し得る。抑制されたキャリア信号９１４は、差動送信（Ｔｘ）出力（a differential transmission (Tx) output）９８４として整合ネットワーク９３８に提供され得る。
【００９３】
[00103]  抑制されたキャリア信号９１４のキャリア振幅は、第１のデバイス１０２からの受信信号９０６のキャリア振幅より小さい可能性があることに留意されたい。しかしながら、抑制されたキャリア信号９１４に関する変調側波帯の振幅は、受信信号９０６のキャリア振幅よりも大きい可能性がある。
【００９４】
[00104]  抑制されたキャリア信号９１４が整合ネットワーク９３８を通過した後、抑制されたキャリア信号９１４は、第１のデバイス１０２への送信のために、アンテナ９２８に提供され得る。抑制されたキャリア信号９１４は、アンテナ９２８において第１のデバイス１０２からの受信信号９０６に重畳され得る。
【００９５】
[00105]  離散フィルタ（discrete filter）９１８は、重畳された信号９１６を受信し、受信信号９０６のフィールドクロック９５４を生み出し得る。離散フィルタ９１８は、重畳された信号９１６の変調側波帯の振幅を、受信信号９０６の振幅より低く減少させ得る。キャリアは抑制されたキャリア信号９１４において抑制され、かつ変調側波帯は離散フィルタによってフィルタアウトされる（filtered out）ので、離散フィルタ９１８の出力は、受信信号９０６のフィールドクロック９５４（例えば、キャリア周波数）によって占められる（dominated by）。
【００９６】
[00106]  一構成では、離散フィルタ９１８は、再生成された信号によってクロックされ得る。例えば、離散フィルタ９１８は、ＶＣＯ９６６によって生成されるシステムクロック９７０によってクロックされ得る。この構成の場合、離散フィルタ９１８のための別のクロック信号は必要ない。この構成では、誘導結合通信のための高品質（Ｑ）係数（factor）もまた達成可能である。
【００９７】
[00107]  離散フィルタ９１８は、バイパス信号９５２によってイネーブルまたはディセーブルされ得る。離散フィルタ９１８がイネーブルされるとき、離散フィルタ９１８は重畳された信号９１６の変調側波帯をフィルタリングし得る。離散フィルタ９１８がディセーブルされるとき、離散フィルタ９１８は、バイパスされ得、重畳された信号９１６はフィルタリングされないで通過し（pass unfiltered）得る。
【００９８】
[00108]  フィールドクロック９５４を使用して、抑制されたキャリア信号９１４の位相は、第１のデバイス１０２からの信号９０６と同期され得る。故に、抑制されたキャリア信号９１４は、受信信号９０６と位相において同期され得る。第１のデバイス１０２における変調の結果的なレベルは、伝統的なパッシブ（例えば、抵抗）負荷変調で達成されることができるものよりも高い可能性がある。
【００９９】
[00109]  図１０は、第２のデバイス９０４による誘導結合通信の様々なフェーズ１００１を例示する。重畳された信号９１６の波形が図１０に例示される。
【０１００】
[00110]  第１のフェーズ１００１ａにおいて、第２のデバイス９０４は、第１のデバイス１０２から最初の信号（an initial signal）９０６を受信し得る。受信信号９０６は、フィールドクロック９５４（例えば、キャリア周波数）を有するキャリアウェーブ（ＣＷ）であり得る。第１のフェーズ１００１ａの間に、第２のデバイス９０４は、ＡＬＭを実行しない。例えば、Ｔｘイネーブル信号９８２は増幅器９８０をディセーブルし得、Ｔｘ波形ジェネレータ９７６はオフにされ得る。バイパス信号９５２は、離散フィルタ９１８がバイパスされることを示す。第１のフェーズ１００１ａにおける破線の重畳された信号９１６は、第２のデバイス９０４が第１のデバイス１０２と同期されていないことを示す。
【０１０１】
[00111]  第２のフェーズ１００１ｂにおいて、第２のデバイス９０４のＰＬＬ回路構成は、フィールドクロック９５４へのロックを獲得する。このフェーズ１００１ｂの間に、第２のデバイス９０４は、第１のデバイス１０２のクロックを回復させ得る。第２のフェーズ１００１ｂにおける実線の重畳された信号９１６は、第２のデバイス９０４が第１のデバイス１０２と同期されていることを示す。
【０１０２】
[00112]  第３のフェーズ１００１ｃにおいて、第２のデバイス９０４は、離散フィルタ９１８をイネーブルし得る。例えば、バイパス信号９５２は「オフ」に設定され得、フィルタバイパスがオフであることを示す。
【０１０３】
[00113]  第４のフェーズ１００１ｄにおいて、第２のデバイス９０４は、ＡＬＭを実行し得る。受信信号９０６（例えば、第１のデバイス１０２のキャリアウェーブ）は、抑制されたキャリア信号９１４に重畳される。Ｔｘイネーブル信号９８２は「オン」に設定され得、増幅器９８０をイネーブルする。Ｔｘ波形ジェネレータ９７６はイネーブルされ得る。フィルタバイパス信号９５２は、「オン」に設定され得る。
【０１０４】
[00114]  図１１は、電子デバイス１１０４において利用され得る様々なコンポーネントを例示する。例示されるコンポーネントは、同じ物理構造内に、または別個のハウジングまたは構造に位置し得る。図１１に関連して説明される電子デバイス１１０４は、ここに説明された電子デバイス１０４、５０４、７０４、９０４のうちの１つまたは複数にしたがってインプリメントされ得る。
【０１０５】
[00115]  電子デバイス１１０４は、プロセッサ１１０３を含む。プロセッサ１１０３は、汎用シングルまたはマルチチップマイクロプロセッサ（例えば、アドバンストＲＩＳＣマシン（ＡＲＭ））、専用マイクロプロセッサ（例えば、デジタルシグナルプロセッサ（ＤＳＰ））、マイクロコントローラ、プログラム可能なゲートアレイ等であり得る。プロセッサ１１０３は、セントラルプロセシングユニット（ＣＰＵ）と称され得る。単一のプロセッサ１１０３のみが図１１の電子デバイス１１０４に示されているが、代替的な構成では、プロセッサ１１０３の組み合せ（例えば、ＡＲＭおよびＤＳＰ）が使用されることが可能である。
【０１０６】
[00116]  電子デバイス１１０４はまた、プロセッサ１１０３と電子通信するメモリ１１０５を含む。つまり、プロセッサ１１０３は、メモリ１１０５から情報を読み出し得るおよび／またはメモリ１１０５へ情報を書き込み得る。メモリ１１０５は、電子情報を記憶することができる如何なる電子コンポーネントでもあり得る。メモリ１１０５は、ランダムアクセスメモリ（ＲＡＭ）、読み取り専用メモリ（ＲＯＭ）、磁気ディスク記憶媒体、光学記憶媒体、ＲＡＭにおけるフラッシュメモリデバイス、プロセッサ１１０３と共に含まれるオンボードメモリ、プログラム可能な読み取り専用メモリ（ＰＲＯＭ）、消去可能なプログラム可能な読み取り専用メモリ（ＥＰＲＯＭ）、電気的に消去可能なＰＲＯＭ（ＥＥＰＲＯＭ（登録商標））、レジスタ等であり得、それらの組み合せも含まれる。
【０１０７】
[00117]  データ１１０９ａおよび命令１１０７ａは、メモリ１１０５に記憶され得る。命令１１０７ａは、１つまたは複数のプログラム、ルーチン、サブルーチン、関数、プロシージャ等を含み得る。命令は、単一のコンピュータ読み取り可能なステートメントまたは多くのコンピュータ読み取り可能なステートメントを含み得る。命令１１０７ａは、上述した方法、機能、およびプロシージャのうちの１つまたは複数をインプリメントするためにプロセッサ１１０３によって実行可能であり得る。命令を実行することは、メモリ１１０５に記憶されたデータ１１０９ａの使用に関わり得る。図１１は、いくつかの命令１１０７ｂおよびデータ１１０９ｂがプロセッサ１１０３にロードされていることを示す（それらはメモリ１１０５に記憶されている命令１１０７ａおよびデータ１１０９ａから来たものであり得る）。
【０１０８】
[00118]  電子デバイス１１０４はまた、他の電子デバイスと通信するための１つまたは複数の通信インタフェース１１１１を含み得る。通信インタフェース１１１１は、ワイヤード通信技術、ワイヤレス通信技術またはその両方に基づき得る。異なるタイプの通信インタフェース１１１１の例は、シリアルポート、パラレルポート、ユニバーサルシリアルバス（ＵＳＢ）、イーサネットアダプタ、電気電子技術者協会（ＩＥＥＥ）１３９４バスインタフェース、近接場通信（ＮＦＣ）トランシーバ、スモールコンピュータシステムインタフェース（ＳＣＳＩ）バスインタフェース、赤外線（ＩＲ）通信ポート、Ｂｌｕｅｔｏｏｔｈ（登録商標）ワイヤレス通信アダプタ、第３世代パートナーシッププロジェクト（３ＧＰＰ（登録商標））トランシーバ、ＩＥＥＥ  ８０２．１１（「Ｗｉ−Ｆｉ」）トランシーバ等を含む。例えば、通信インタフェース１１１１は、ワイヤレス信号を送信および受信するための１つまたは複数のアンテナ（示されていない）に結合され得る。
【０１０９】
[00119]  電子デバイス１１０４はまた、１つまたは複数の入力デバイス１１１３および１つまたは複数の出力デバイス１１１７を含み得る。異なる種類の入力デバイス１１１３の例は、キーボード、マウス、マイクロフォン１１１５、リモート制御デバイス、ボタン、ジョイスティック、トラックボール、タッチパッド、ライトペン等を含む。例えば、電子デバイス１１０４は、音響信号をキャプチャするための１つまたは複数のマイクロフォン１１１５を含み得る。一構成では、マイクロフォン１１１５は、音響信号（例えば、音声、会話）を電気または電子信号に変換するトランスデューサであり得る。異なる種類の出力デバイス１１１７の例は、スピーカ１１１９、プリンタ等を含む。例えば、電子デバイス１１０４は、１つまたは複数のスピーカ１１１９を含み得る。一構成では、スピーカ１１１９は、電気または電子信号を音響信号に変換するトランスデューサであり得る。電子デバイス１１０４に典型的に含まれ得る１つの特定のタイプの出力デバイス１１１７は、ディスプレイ１１２１デバイスである。ここに開示された構成で使用されるディスプレイ１１２１デバイスは、ブラウン管（ＣＲＴ）、液晶ディスプレイ（ＬＣＤ）、発光ダイオード（ＬＥＤ）、気体プラズマ、エレクトロルミネセンス（electroluminescence）等のような任意の適切な画像投影技術を利用し得る。メモリ１１０５に記憶されたデータを、（必要に応じて）ディスプレイ１１２１デバイス上に示されるテキスト、グラフィックス、および／または動画に変換するためのディスプレイコントローラ１１２３もまた、提供され得る。
【０１１０】
[00120]  電子デバイス１１０４の様々なコンポーネントは、電力バス、制御信号バス、ステータス信号バス、データバス等を含み得る１つまたは複数のバスによって互いに結合され得る。簡潔さのために、様々なバスが、バスシステム１１２５として図１１に例示される。図１１は、電子デバイス１１０４の１つの可能性のある構成を例示しているに過ぎないことに留意されたい。様々な他のアーキテクチャおよびコンポーネントが利用され得る。
【０１１１】
[00121]  上の説明では、参照番号が時折様々な用語に関連して使用されている。ある用語がある参照番号に関連して使用される場合、これは、複数の図のうちの１または複数に示される特定の要素を指すことを意味し得る。ある用語が参照番号なしに使用される場合、これは、いずれの特定の図にも限定せずに、その用語を一般的に指すことを意味し得る。
【０１１２】
[00122]  「決定する（determining）」という用語は、多種多様なアクションを包含し、故に、「決定する」ことは、算出すること（calculating）、計算すること（computing）、処理すること（processing）、導出すること（deriving）、調査すること（investigating）、ルックアップすること（looking up）（例えば、表、データベース、または別のデータ構造をルックアップすること）、突き止めること（ascertaining）などを含むことができる。また、「決定する」ことは、受信すること（例えば、情報を受信すること）、アクセスすること（例えば、メモリ内のデータにアクセスすること）等を含むことができる。また、「決定する」ことは、解決すること（resolving）、選択すること（selecting）、選ぶこと（choosing）、確立すること（establishing）等を含むことができる。
【０１１３】
[00123]  「〜に基づいて（based on）」という表現は、別途明確に記載されていない限り、「〜だけに基づいて（based only on）」を意味してはいない。言い換えれば、「〜に基づいて」という表現は、「〜だけに基づいて」および「少なくとも〜に基づいて（based at least on）」の両方を説明する。
【０１１４】
[00124]  「プロセッサ」という用語は、汎用プロセッサ、セントラルプロセシングユニット（ＣＰＵ）、マイクロプロセッサ、デジタルシグナルプロセッサ（ＤＳＰ）、コントローラ、マイクロコントローラ、ステートマシン等を包含するように広く解釈されるべきである。いくつかの状況下では、「プロセッサ」は、特定用途向け集積回路（ＡＳＩＣ）、プログラム可能な論理デバイス（ＰＬＤ）、フィールドプログラマブルゲートアレイ（ＦＰＧＡ）等を指し得る。「プロセッサ」という用語は、処理デバイスの組み合せ、例えば、デジタルシグナルプロセッサ（ＤＳＰ）と、１つのマイクロプロセッサ、複数のマイクロプロセッサ、デジタルシグナルプロセッサ（ＤＳＰ）コアと連結した１つまたは複数のマイクロプロセッサ、または任意の他のそのような構成の組み合せを指し得る。
【０１１５】
[00125]  「メモリ」という用語は、電子情報を記憶することができる如何なる電子コンポーネントも包含するように広く解釈されるべきである。メモリという用語は、ランダムアクセスメモリ（ＲＡＭ）、読み取り専用メモリ（ＲＯＭ）、不揮発性ランダムアクセスメモリ（ＮＶＲＡＭ）、プログラム可能な読み取り専用メモリ（ＰＲＯＭ）、消去可能なプログラム可能な読み取り専用メモリ（ＥＰＲＯＭ）、電気的に消去可能なＰＲＯＭ（ＥＥＰＲＯＭ）、フラッシュメモリ、磁気または光学データ記憶装置、レジスタ等のような様々なタイプのプロセッサ読み取り可能な媒体を指し得る。メモリは、プロセッサがメモリから情報を読み出すおよび／またはメモリに情報を書き込むことができる場合、プロセッサと電子通信していると言われる。プロセッサに統合されたメモリは、プロセッサと電子通信している。
【０１１６】
[00126]  「命令」および「コード」という用語は、如何なるタイプの（１つまたは複数の）コンピュータ読み取り可能なステートメントも含むように広く解釈されるべきである。例えば、「命令」および「コード」という用語は、１つまたは複数のプログラム、ルーチン、サブルーチン、関数、プロシージャ等を指し得る。「命令」および「コード」は、単一のコンピュータ読み取り可能なステートメントまたは多くのコンピュータ読み取り可能なステートメントを備え得る。
【０１１７】
[00127]  ここに説明された機能は、ソフトウェアまたはハードウェアによって実行されているファームウェアにおいてインプリメントされ得る。これらの機能は、コンピュータ読み取り可能な媒体上の１つまたは複数の命令として記憶され得る。「コンピュータ読み取り可能な媒体」または「コンピュータプログラム製品」という用語は、コンピュータまたはプロセッサによってアクセスされることができる如何なる有形の記憶媒体も指す。限定ではなく例として、コンピュータ読み取り可能な媒体は、ＲＡＭ、ＲＯＭ、ＥＥＰＲＯＭ、ＣＤ−ＲＯＭ、または他の光ディスク記憶装置、磁気ディスク記憶装置または他の磁気記憶デバイス、あるいは、命令またはデータ構造の形態で所望のプログラムコードを搬送または記憶するために使用されることができる、およびコンピュータによってアクセスされることができる如何なる他の媒体も含み得る。ここで使用される場合、ディスク（disk）およびディスク（disc）は、コンパクトディスク（disc）（ＣＤ）、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc）を含み、ここで、ディスク（disk）は、通常磁気的にデータを再生し、一方ディスク（disc）は、レーザーを用いて光学的にデータを再生する。コンピュータ読み取り可能な媒体は、有形かつ非一時的であり得ることに留意されたい。「コンピュータプログラム製品」という用語は、コンピューティングデバイスまたはプロセッサによって実行、処理、または計算され得るコードまたは命令（例えば、「プログラム」）と組み合わせたコンピューティングデバイスまたはプロセッサを指す。ここで使用される場合、「コード」という用語は、コンピューティングデバイスまたはプロセッサによって実行可能であるソフトウェア、命令、コードまたはデータを指し得る。
【０１１８】
[00128]  ソフトウェアまたは命令はまた、伝送媒体を介して送信され得る。例えば、ソフトウェアが、ウェブサイト、サーバ、あるいは、他のリモートソースから、同軸ケーブル、光ファイバーケーブル、ツイストペア、デジタル加入者回線（ＤＳＬ）、または赤外線、無線およびマイクロ波のようなワイヤレス技術を使用して送信される場合、同軸ケーブル、光ファイバーケーブル、ツイストペア、ＤＳＬ、または赤外線、無線およびマイクロ波のようなワイヤレス技術は、伝送媒体の定義に含まれる。
【０１１９】
[00129]  ここに開示される方法は、説明された方法を達成するための１つまたは複数のステップまたはアクションを備える。これらの方法のステップおよび／またはアクションは、請求項の範囲から逸脱することなく、互いに置き換えられ得る。言い換えれば、ステップまたはアクションの特定の順序が説明される方法の適切な動作のために必要とされない限り、特定のステップおよび／またはアクションの順序および／または使用は、特許請求の範囲から逸脱することなく修正され得る。
【０１２０】
[00130]  さらに、図２に例示されたもののような、ここに説明された方法および技法を実行するためのモジュールおよび／または他の適切な手段は、デバイスによってダウンロードされることができるおよび／または別の方法で取得されることができることは認識されるはずである。例えば、デバイスは、ここに説明された方法を実行するための手段の転送を容易にするために、サーバに結合され得る。代替的に、ここに説明された様々な方法は、デバイスが記憶手段（例えば、ランダムアクセスメモリ（ＲＡＭ）、読み取り専用メモリ（ＲＯＭ）、コンパクトディスク（ＣＤ）またはフロッピーディスクのような物理的な記憶媒体等）をデバイスに結合または提供する際に様々な方法を取得し得るように、記憶手段を介して、提供されることができる。さらに、ここに説明された方法および技法をデバイスに提供するための任意の他の適切な技法が、利用されることができる。
【０１２１】
[00131]  本願の特許請求の範囲が上に例示されたまさにその構成およびコンポーネントに限定されないことは理解されるべきである。特許請求の範囲から逸脱することなく、ここに説明されたシステム、方法、および装置の配列、動作および詳細において、様々な修正、変更、および変形が成され得る。
以下に、本願出願の当初の特許請求の範囲に記載された発明を付記する。
［Ｃ１］
誘導結合通信のための方法であって、
第１のデバイスからの受信信号よりも強い、再送される変調信号を生成することと、
前記第１のデバイスへの再送のために、前記再送される変調信号から、抑制されたキャリア信号を生成することと、
変調側波帯を減衰させるために、前記抑制されたキャリア信号の、前記受信信号に対して重畳された信号をフィルタリングすることと、
前記フィルタリングされた信号に基づいて、前記第１のデバイスに同期することと、
を備える、方法。
［Ｃ２］
前記再送される変調信号は、前記受信信号よりも大きい振幅を有する変調側波帯およびキャリアを備える、Ｃ１に記載の方法。
［Ｃ３］
前記抑制されたキャリア信号を生成することは、前記再送される変調信号のキャリア振幅を、前記受信信号の振幅より低く減少させることを備える、Ｃ１に記載の方法。
［Ｃ４］
変調側波帯を減衰させるために、前記重畳された信号をフィルタリングすることは、前記重畳された信号の変調側波帯の振幅を、前記受信信号の振幅より低く減少させることを備える、Ｃ１に記載の方法。
［Ｃ５］
前記第１のデバイスに同期することは、前記フィルタリングされた信号を使用して前記受信信号からのクロックを回復させることを備える、Ｃ１に記載の方法。
［Ｃ６］
前記第１のデバイスに同期することはさらに、位相ロックループ（ＰＬＬ）回路構成を使用して、前記抑制されたキャリア信号を前記受信信号に位相ロックすることを備える、Ｃ５に記載の方法。
［Ｃ７］
前記フィルタリングすることは、前記受信信号からの前記回復されたクロックを使用して、離散フィルタリングすることを備える、Ｃ５に記載の方法。
［Ｃ８］
前記誘導結合通信は、近接場通信（ＮＦＣ）である、Ｃ１に記載の方法。
［Ｃ９］
前記抑制されたキャリア信号は、変調信号を再送するためのアクティブ負荷変調のために生成される、Ｃ１に記載の方法。
［Ｃ１０］
誘導結合通信のための回路構成であって、
第１のデバイスからの受信信号よりも強い、再送される変調信号を生成する再送信号ジェネレータと、
前記第１のデバイスへの再送のために、前記再送される変調信号から、抑制されたキャリア信号を生成する抑制キャリア信号ジェネレータと、
変調側波帯を減衰させるために、前記抑制されたキャリア信号の、前記受信信号に対して重畳された信号をフィルタリングする変調側波帯フィルタと、
前記フィルタリングされた信号に基づいて、前記第１のデバイスに同期する同期ブロックと、
を備える、回路構成。
［Ｃ１１］
前記再送される変調信号は、前記受信信号よりも大きい振幅を有する変調側波帯およびキャリアを備える、Ｃ１０に記載の回路構成。
［Ｃ１２］
前記抑制されたキャリア信号を生成することは、前記再送される変調信号のキャリア振幅を、前記受信信号の振幅より低く減少させることを備える、Ｃ１０に記載の回路構成。
［Ｃ１３］
変調側波帯を減衰させるために、前記重畳された信号をフィルタリングすることは、前記重畳された信号の変調側波帯の振幅を、前記受信信号の振幅より低く減少させることを備える、Ｃ１０に記載の回路構成。
［Ｃ１４］
前記第１のデバイスに同期することは、前記フィルタリングされた信号を使用して前記受信信号からのクロックを回復させることを備える、Ｃ１０に記載の回路構成。
［Ｃ１５］
前記第１のデバイスに同期することはさらに、位相ロックループ（ＰＬＬ）回路構成を使用して、前記抑制されたキャリア信号を前記受信信号に位相ロックすることを備える、Ｃ１４に記載の回路構成。
［Ｃ１６］
前記誘導結合通信は、近接場通信（ＮＦＣ）である、Ｃ１０に記載の回路構成。
［Ｃ１７］
誘導結合通信のための装置であって、
第１のデバイスからの受信信号よりも強い、再送される変調信号を生成するための手段と、
前記第１のデバイスへの再送のために、前記再送される変調信号から、抑制されたキャリア信号を生成するための手段と、
変調側波帯を減衰させるために、前記抑制されたキャリア信号の、前記受信信号に対して重畳された信号をフィルタリングするための手段と、
前記フィルタリングされた信号に基づいて、前記第１のデバイスに同期するための手段と、
を備える、装置。
［Ｃ１８］
前記再送される変調信号は、前記受信信号よりも大きい振幅を有する変調側波帯およびキャリアを備える、Ｃ１７に記載の装置。
［Ｃ１９］
前記抑制されたキャリア信号を生成するための前記手段は、前記再送される変調信号のキャリア振幅を、前記受信信号の振幅より低く減少させるための手段を備える、Ｃ１７に記載の装置。
［Ｃ２０］
変調側波帯を減衰させるために、前記重畳された信号をフィルタリングするための前記手段は、前記重畳された信号の変調側波帯の振幅を、前記受信信号の振幅より低く減少させるための手段を備える、Ｃ１７に記載の装置。
［Ｃ２１］
前記第１のデバイスに同期するための前記手段は、前記フィルタリングされた信号を使用して前記受信信号からのクロックを回復させるための手段を備える、Ｃ１７に記載の装置。
［Ｃ２２］
前記第１のデバイスに同期するための前記手段はさらに、位相ロックループ（ＰＬＬ）回路構成を使用して、前記抑制されたキャリア信号を前記受信信号に位相ロックするための手段を備える、Ｃ２１に記載の装置。
［Ｃ２３］
前記誘導結合通信は、近接場通信（ＮＦＣ）である、Ｃ１７に記載の装置。
［Ｃ２４］
誘導結合通信のためのコンピュータプログラム製品であって、前記コンピュータプログラム製品は、命令を有する非一時的なコンピュータ読み取り可能な媒体を備え、前記命令は、
装置に、第１のデバイスからの受信信号よりも強い、再送される変調信号を生成させるためのコードと、
前記装置に、前記第１のデバイスへの再送のために、前記再送される変調信号から、抑制されたキャリア信号を生成させるためのコードと、
前記装置に、変調側波帯を減衰させるために、前記抑制されたキャリア信号の、前記受信信号に対して重畳された信号をフィルタリングさせるためのコードと、
前記装置に、前記フィルタリングされた信号に基づいて、前記第１のデバイスに同期させるためのコードと、
を備える、コンピュータプログラム製品。
［Ｃ２５］
前記再送される変調信号は、前記受信信号よりも大きい振幅を有する変調側波帯およびキャリアを備える、Ｃ２４に記載のコンピュータプログラム製品。
［Ｃ２６］
前記装置に、前記抑制されたキャリア信号を生成させるための前記コードは、前記装置に、前記再送される変調信号のキャリア振幅を、前記受信信号の振幅より低く減少させるためのコードを備える、Ｃ２４に記載のコンピュータプログラム製品。
［Ｃ２７］
前記装置に、変調側波帯を減衰させるために、前記重畳された信号をフィルタリングさせるための前記コードは、前記装置に、前記重畳された信号の変調側波帯の振幅を、前記受信信号の振幅より低く減少させるための前記コードを備える、Ｃ２４に記載のコンピュータプログラム製品。
［Ｃ２８］
前記装置に、前記第１のデバイスに同期させるための前記コードは、前記装置に、前記フィルタリングされた信号を使用して、前記受信信号からのクロックを回復させるための前記コードを備える、Ｃ２４に記載のコンピュータプログラム製品。
［Ｃ２９］
前記装置に、前記第１のデバイスに同期させるための前記コードはさらに、前記装置に、位相ロックループ（ＰＬＬ）回路構成を使用して、前記抑制されたキャリア信号を前記受信信号に位相ロックさせるための前記コードを備える、Ｃ２８に記載のコンピュータプログラム製品。
［Ｃ３０］
前記誘導結合通信は、近接場通信（ＮＦＣ）である、Ｃ２４に記載のコンピュータプログラム製品。
【図１】
0006682530.tif 000002
【図２】
0006682530.tif 000003
【図３】
0006682530.tif 000004
【図４】
0006682530.tif 000005
【図５】
0006682530.tif 000006
【図６】
0006682530.tif 000007
【図７】
0006682530.tif 000008
【図８Ａ】
0006682530.tif 000009
【図８Ｂ】
0006682530.tif 000010
【図９】
0006682530.tif 000011
【図１０】
0006682530.tif 000012
【図１１】
0006682530.tif 000013